(57)【要約】【課題】  排泄の際、簡便につぼの刺激を受けることができる腰掛け式便器を提供する。【解決手段】  本発明の腰掛け式便器１は、便器２、便座３、便座カバー４及び脚台シート５を備えている。便座カバー４は、背もたれの機能を有し、この便座カバー４には、使用者の背中を刺激する背中指圧部４１が複数形成されている。便座３、脚部台シート部５ｂ及び足裏台シート部５ｃにも、それぞれ、臀部指圧部３１、脚部指圧部５１及び足裏指圧部５２が、突状に複数形成されている。背中指圧部４１は、使用者の背中のつぼ位置に合わせて配置されており、臀部指圧部３１、脚部指圧部５１及び足裏指圧部５２も、それぞれ、臀部のつぼ位置、脚部のつぼ位置及び足裏のつぼ位置に合わせて配置されている。【選択図】    図１
2005137532.tif 000002
【特許請求の範囲】
【請求項１】
便器、便座及び便座カバーを備えた腰掛け式便器において、
前記便座カバーとして、背もたれ機能を有し且つ使用者の背中を刺激する指圧部が複数設けられている便座カバーを用いたことを特徴とする腰掛け式便器。
【請求項２】
前記便座には、使用者の臀部を刺激する指圧部が複数設けられていることを特徴とする腰掛け式便器。
【請求項３】
前記便器には、脚台シートが取り付けられており、該脚台シートには、使用者の脚部及び足裏を刺激する指圧部が設けられていることを特徴とする請求項１又は２に記載の腰掛け式便器。
【請求項４】
前記指圧部は、人体のつぼの位置に応じて配置されていることを特徴とする請求項１〜３の何れかに記載の腰掛け式便器。
【請求項５】
前記指圧部は、振動するように構成されていることを特徴とする請求項１〜４の何れかに記載の腰掛け式便器。
【発明の詳細な説明】
【技術分野】
【０００１】
本発明は、腰掛け式便器に関し、特に、マッサージ機能を有する腰掛け式便器に関する。
【背景技術】
【０００２】
従来より、腰掛け式便器には、マッサージ機能を備えたものが知られており、例えば、特許文献１には、人体局部洗浄装置を設けた腰掛け式便器が記載されている。この人体局部洗浄装置においては、洗浄水の拡散流と洗浄水の直線流との混合比を自動的に変更することにより、人体の局部をマッサージするようにしている。
【０００３】
【特許文献１】特開２０００−２５９４４１号公報
【発明の開示】
【発明が解決しようとする課題】
【０００４】
ところで、重篤人や寝たきりの老人等にとっては、排泄の際、寝床から起き上がり、トイレの便座に腰掛けるまでの行動に苦労が伴っていた。このような重篤人等には、排泄の機会に、トイレの便座に腰掛けたままで、簡便に、五臓六腑や脈絡等のつぼを刺激するつぼ療法を受けることが望まれている。
しかしながら、上記特許文献１に記載の腰掛け式便器においては、人体の局部のみに洗浄水を受けるだけであり、重篤人等が十分なつぼ療法を受けるまでに至っていなかった。
【０００５】
従って、本発明の目的は、排泄の際、簡便につぼの刺激を受けることができる腰掛け式便器を提供することにある。
【課題を解決するための手段】
【０００６】
発明者は、排泄の際に用いる便座カバーや便座等を利用すれば、重篤人や寝たきりの老人等の使用者に、排泄の機会と併せてつぼ療法を施し得ることを知見した。
【０００７】
本発明は、上記知見に基づいてなされたものであり、便器、便座及び便座カバーを備えた腰掛け式便器において、前記便座カバーとして、背もたれの機能を有し且つ使用者の背中を刺激する指圧部が複数設けられている便座カバーを用いたことを特徴とする腰掛け式便器を提供することにより、前記目的を達成したものである。
【発明の効果】
【０００８】
本発明によれば、便座カバーに指圧部を設けたため、排泄する際腰掛けたままの姿勢で、背中につぼ療法を受けることができ、重篤人や寝たきりの老人等の使用者にとって、わざわざ、つぼ療法を受けるための行動を起こす機会を減らすことができる。
【発明を実施するための最良の形態】
【０００９】
以下、本発明の腰掛け式便器の最も好ましい一実施形態を図面を参照して詳細に説明する。
図１又は図２に示すように、本実施形態の腰掛け式便器１は、便器２、便座３及び便座カバー４を備えており、便座カバー４は、背もたれの機能を有し、この便座カバー４には、使用者の背中を刺激する背中指圧部（指圧部）４１が複数設けられている。
以下、かかる腰掛け便器１を詳細に述べる。
【００１０】
図１又は図３に示すように、本実施形態の腰掛け式便器１は、便器２に、便座ユニット１０が着脱自在に構成されたものである。
便器２は、腰掛けタイプに通常用いられるのものと同様の形状であり、この便器２に、便座ユニット１０が取り付けられるようになっている。
便座ユニット１０は、脚台シート５と、便座３と、便座カバー４とからなる。脚台シート５は、座面シート部５ａと、脚部台シート部５ｂと、足裏台シート部５ｃとから折曲した形状に一体形成されている。座面シート部５ａには、固定ベルト具５ｄが取り付けられている。この固定ベルト具５ｄは、座面シート部５ａを便器２の座面２ａ上に固定するようになっている。この場合、足裏台シート部５ｃが床面上に配置された状態で、脚部台シート５ｂが使用者の着座姿勢における脚部にほぼ沿って傾斜するようになっている。
【００１１】
座面シート部５ａの後方部分（図１の右上方部分）には、一対の軸受部材５ｅ、５ｅが固定されており、これらの軸受部材５ｅ、５ｅに、便座３及び便座カバー４が、互い重なった状態で開閉可能に軸支されている。
便座３は、腰掛けタイプに通常用いられるのものと同様の形状であり、中央に開口部を有する略Ｏ字状に形成され、閉状態でその開口部から便器２の貯水部分を露出するようになっている。便座カバー４は、腰掛けタイプに通常用いられるのものと同様の形状であり、閉状態で便座３を覆うようになっている。
【００１２】
図２に示すように、便座カバー４は、背もたれとしての機能をも備え、軸受部材５ｅに組み込まれたリクライニング機構（図示しない）により、背もたれ角度が例えば３段階に調節可能であって、それぞれの傾斜位置Ａ１、Ａ２、Ａ３で固定されるようになっている。
ここで、便座カバー４は、使用者の背中にフィットさせる観点から、通常のものより縦長の大きさに形成されており、これに対応して、便座３及び便器２も、通常のものより縦長の大きさに形成されている。
【００１３】
図１に示すように、本実施形態の場合、便座カバー４が開状態かつ便座３が閉状態の場合、便座カバー４の裏面、便座３の表面、脚部台シート部５ｂの上面及び足裏台シート部５ｃの上面が、それぞれ一体的に繋がった状態で、使用者の背中から足裏まで当接可能になる。
そして、便座カバー４の裏面には、背中指圧部４１が突状に複数形成されている。便座３の表面、脚部台シート部５ｂの上面及び足裏台シート部５ｃの上面にも、それぞれ、臀部指圧部３１、脚部指圧部５１及び足裏指圧部５２が、上記同様、突状に複数形成されている。
背中指圧部４１は、使用者の背中のつぼ位置に合わせて配置されており、臀部指圧部３１、脚部指圧部５１及び足裏指圧部５２も、上記同様、それぞれ、臀部のつぼ位置、脚部のつぼ位置及び足裏のつぼ位置に合わせて配置されている。
なお、便座カバー４が閉状態の場合、背中指圧部４１及び臀部指圧部３１は、互いに干渉しないようになっている。
【００１４】
背中指圧部４１には、バイブレーター（図示しない）が内臓されており、このバイブレーターは、コントローラ（図示しない）に電気的に接続されている。この点は、臀部指圧部３１、脚部指圧部５１及び足裏指圧部５２についても同様である。
コントローラは、背中指圧部４１、臀部指圧部３１、脚部指圧部５１及び足裏指圧部５２をそれぞれ独立して振動させるように構成されており、背中指圧部４１、臀部指圧部３１、脚部指圧部５１及び足裏指圧部５２のうち何れか一つ又は複数若しくは全部について、振動のＯＮ・ＯＦＦや振動の強弱調整等をするようになっている。
【００１５】
次に、本実施形態の腰掛け式便器１の使用態様等を説明する。
図１に示すように、排泄する際には、便座カバー４を開いた後、足裏を足裏台シート部５ｃに載せ、便座３に腰掛けると共に、背中を便座カバー４にもたれ、脚部を脚部台シート５ｂに載せる。この場合、重篤人や寝たきり老人等の使用者は、楽な姿勢で排泄を行う。この際、図２に示すように、便座カバー４の背もたれ角度を適宜調節する。
その後、コントローラの操作により、背中指圧部４１、臀部指圧部３１、脚部指圧部５１及び足裏指圧部５２のうち所望の部位を作動させる。これにより、使用者のつぼが刺激され、腰掛けたままの状態での使用者につぼ療法が施される。
なお、重篤人や寝たきり老人であっても自力で立てる使用者や、通常の使用者が小便を排泄する際には、図４に示すように、便座３を開く。また、図５に示すように、排泄やつぼ療法の終了後、便座カバー４を閉じてもよい。
【００１６】
以上述べたように、本実施形態によれば、便座カバー４に背中指圧部４１を形成したため、排泄する際に腰掛けたままの姿勢で、背中につぼ療法を受けることができる。
特に、便座カバー４の背中指圧部４１だけでなく、便座３に臀部指圧部３１を形成し、脚台シート５に脚部指圧部５１及び足裏指圧部５２を形成したため、腰掛けたままの状態で、背中だけでなく、臀部、脚部、足裏にもつぼ療法を受けることができる。
また、本実施形態によれば、背中指圧部４１、臀部指圧部３１、脚部指圧部５１及び足裏指圧部５２をそれぞれ使用者（人体）のつぼ位置に合わせて配置したため、使用者により効果的なつぼ療法を施すことができる
さらに、本実施形態によれば、背中指圧部４１、臀部指圧部３１、脚部指圧部５１及び足裏指圧部５２をそれぞれ独立して振動するようにしたため、より効果的なつぼ療法を施すことができると共に、つぼ療法を施す部位を適宜選択できる。
【００１７】
本発明は、上記実施形態に限られることなく、種々の変更等を行うことができる。
例えば、本発明は、便座ユニットとして、便座カバー、便座及び脚台シートを一体的に便器に着脱可能にしたが、これに限られず、便座及び脚台シートを便器に固定し、これに便座カバーを着脱可能にしてもよい。
【００１８】
また、本発明において、指圧部は振動することが好ましいが、指圧部が振動しなくてもこの指圧部に、身体を押し付けるようにしてもよく、また、便座カバーに取り付けたバネの力で指圧部を身体に押し付けるようにしてもよく、さらに、指圧部が低周波を発するようにしてもよい。
【００１９】
さらに、本発明において、指圧部を使用者のつぼ位置に合わせて配置することが好ましく、使用者によってつぼ位置が異なるため、指圧部を配置の変更可能にしたり、あるいは、指圧部を取り外し可能にしてもよい。
【００２０】
さらにまた、本発明において、指圧部は突状であることが好ましいが、指圧部が使用者のつぼに振動や低周波を与えられる限りで平坦な形状であってもよい。
【図面の簡単な説明】
【００２１】
【図１】本実施形態の腰掛け式便器の概略構成を示す斜視図である。
【図２】本実施形態の腰掛け式便器の概略構成を示す側面図である。
【図３】本実施形態の腰掛け式便器を組み立てる状態を示す斜視図である。
【図４】本実施形態の腰掛け式便器の便座が開いた状態を示す斜視図である。
【図５】本実施形態の腰掛け式便器の便座カバーが閉じた状態を示す斜視図である。
【符号の説明】
【００２２】
２  便器
３  便座
４  便座カバー
５  脚台シート
３１  臀部指圧部（指圧部）
４１  背中指圧部（指圧部）
５１  脚部指圧部（指圧部）
５２  足裏指圧部（指圧部）
【図１】
2005137532.tif 000003
【図２】
2005137532.tif 000004
【図３】
2005137532.tif 000005
【図４】
2005137532.tif 000006
【図５】
2005137532.tif 000007